【手続補正書】
【提出日】平成18年3月10日(2006.3.10)
【手続補正１】
【補正対象書類名】明細書
【補正対象項目名】発明の名称
【補正方法】変更
【補正の内容】
【発明の名称】情報信号の記録装置、記録システム、記録媒体および記録方法
【手続補正２】
【補正対象書類名】明細書
【補正対象項目名】特許請求の範囲
【補正方法】変更
【補正の内容】
【特許請求の範囲】
【請求項１】
情報信号を記録媒体に記録する記録手段と、
前記記録手段により前記記録媒体に記録された前記情報信号の識別子を記憶する記録履歴記憶手段と、
使用者に対する課金処理を行なう課金処理手段と、
前記記録手段によって記録しようとしている情報信号の識別子を検出する識別子検出手段と、
前記識別子検出手段で検出された前記情報信号の識別子と、前記記録履歴記憶手段に記憶されている前記情報信号の識別子との比較結果、および、前記課金処理手段による課金状況に応じて、前記記録しようとしている情報信号の前記記録手段による前記記録媒体への記録を制御する制御手段と、
を備えることを特徴とする情報信号の記録装置。
【請求項２】
請求項１に記載の情報信号の記録装置において、
前記記録手段は、所定記録速度よりも高速で前記記録媒体に前記情報信号を記録することが可能であって、
前記制御手段は、前記情報信号が前記記録手段で前記所定記録速度よりも高速で記録されるときに、前記識別子検出手段で検出された前記情報信号の識別子と、前記識別子記憶手段に記憶されている前記情報信号の識別子との比較結果、および、前記課金処理手段による課金状況に応じて、前記記録しようとしている情報信号の前記記録手段による前記記録媒体への記録を制御する
ことを特徴とする情報信号の記録装置。
【請求項３】
請求項１に記載の情報信号の記録装置において、
前記制御手段は、
前記記録履歴記憶手段に、前記識別子検出手段で検出された前記情報信号の識別子と同一の識別子が記憶されていないときには、前記記録しようとしている情報信号の前記記録手段による前記記録媒体への記録を許可し、
前記記録履歴記憶手段に、前記識別子検出手段で検出された前記情報信号の識別子と同一の識別子が記憶されているときには、前記課金処理手段による課金状況に応じて、前記記録しようとしている情報信号の前記記録手段による前記記録媒体への記録の許否を決定する
ことを特徴とする情報信号の記録装置。
【請求項４】
請求項１に記載の情報信号の記録装置において、
前記記録履歴記憶手段には、前記記録手段により前記情報信号の前記記録媒体への記録が実行されたときに、当該記録された情報信号の識別子と対応して、その記録回数を示す情報が記憶され、
前記制御手段は、
前記記録履歴記憶手段に記憶されている、前記識別子検出手段で検出された前記情報信号の識別子と同一の識別子の情報信号についての前記記録回数を示す情報により、前記記録しようとする前記情報信号の記録回数が、予め定められた記録許可回数を超えることを検出したときには、前記課金処理手段による課金処理を条件に、前記情報信号の更なる前記記録媒体への記録を許可する
ことを特徴とする情報信号の記録装置。
【請求項５】
請求項４に記載の情報信号の記録装置において、
前記記録履歴記憶手段で前記識別子に対応して記憶される記録許可回数は、１回であることを特徴とする情報信号の記録装置。
【請求項６】
請求項１に記載の情報信号の記録装置において、
前記記録手段により前記記録媒体に記録する前に、前記情報信号を暗号化する暗号化手段を設けた
ことを特徴とする情報信号の記録装置。
【請求項７】
請求項１に記載の情報信号の記録装置において、
前記記録手段により前記記録媒体に記録する前に、前記情報信号を圧縮する圧縮手段を設けた
ことを特徴とする情報信号の複製制御方法。
【請求項８】
請求項１に記載の情報信号の記録装置において、
前記課金処理手段は、前記記録手段による前記情報信号の前記記録媒体への記録の対価に応じて、課金処理のための金額情報が記憶されている課金情報記憶媒体の前記金額情報を変更する
ことを特徴とする情報信号の記録装置。
【請求項９】
請求項８に記載の情報信号の記録装置において、
前記課金処理手段は、前記記録手段による前記情報信号の前記記録媒体への記録の対価を、前記課金情報記憶媒体の前記金額情報に加算する
ことを特徴とする情報信号の記録装置。
【請求項１０】
請求項８に記載の情報信号の記録装置において、
前記課金処理手段は、前記記録手段による前記情報信号の前記記録媒体への記録の対価を、前記課金情報記憶媒体の前記金額情報から減算する
ことを特徴とする情報信号の記録装置。
【請求項１１】
請求項８に記載の情報信号の記録装置において、
前記課金情報記憶媒体に、前記記録媒体に記録された情報信号の識別子とその情報信号の記録回数を示す情報とを書き込む書き込み手段を設ける
ことを特徴とする情報信号の記録装置。
【請求項１２】
請求項１に記載の情報信号の記録装置において、
前記記録媒体には、課金のための少なくとも金額情報が記録されている課金情報領域が設けられており、
前記課金処理手段は、前記記録手段による前記情報信号の前記記録媒体への記録の対価に応じて、前記記録媒体の前記課金情報領域に記憶されている前記金額情報を変更する
ことを特徴とする情報信号の記録装置。
【請求項１３】
請求項１２に記載の情報信号の記録装置において、
前記課金処理手段は、前記記録手段による前記情報信号の前記記録媒体への記録の対価を、前記記録媒体の前記課金情報領域の前記金額情報に加算する
ことを特徴とする情報信号の記録装置。
【請求項１４】
請求項１２に記載の情報信号の記録装置において、
前記課金処理手段は、前記記録手段による前記情報信号の前記記録媒体への記録の対価を、前記記録媒体の前記課金情報領域の前記金額情報から減算する
ことを特徴とする情報信号の記録装置。
【請求項１５】
請求項１２に記載の情報信号の記録装置において、
前記記録媒体に、前記記録媒体に記録された情報信号の識別子とその情報信号の記録回数を示す情報とを書き込む書き込み手段を設ける
ことを特徴とする情報信号の記録装置。
【請求項１６】
情報信号を出力する出力手段と、
前記出力手段から出力される前記情報信号を、記録媒体に記録する記録手段と、
前記記録手段により前記記録媒体に記録された前記情報信号の識別子を記憶する記録履歴記憶手段と、
使用者に対する課金処理を行なう課金処理手段と、
前記記録手段によって記録しようとしている情報信号の識別子を検出する識別子検出手段と、
前記識別子検出手段で検出された前記情報信号の識別子と、前記記録履歴記憶手段に記憶されている前記情報信号の識別子との比較結果、および、前記課金処理手段による課金状況に応じて、前記記録しようとしている情報信号の前記記録手段による前記記録媒体への記録を制御する制御手段と、
を備えることを特徴とする情報信号の記録システム。
【請求項１７】
情報信号が記録される情報信号記録部と、
金額に関連する情報を記憶する金額情報記憶部と、
前記情報信号が前記情報信号記録部に記録されるときに、前記金額情報記憶部に記憶される前記金額に関連する情報を変更すると共に、所定の金額の金銭が支払われたことを示す情報入力に応じて、前記金額に関連する情報を変更する制御手段と
を備えることを特徴とする記録媒体。
【請求項１８】
情報信号を記録媒体に記録する記録工程と、
前記記録工程により前記記録媒体に記録された前記情報信号の識別子を記憶する記録履歴記憶工程と、
使用者の課金承認を検知する課金承認検知工程と、
前記記録工程において新たに記録しようとする情報信号の識別子を検出する識別子検出工程と、
前記識別子検出工程で検出された前記情報信号の識別子と、前記記録履歴記憶工程で記憶された前記情報信号の識別子との比較結果、および、前記課金承認検知工程における課金承認状況に応じて、前記新たに記録しようとする情報信号の前記記録媒体への記録を制御する制御工程と、
を備えることを特徴とする情報信号の記録方法。
【請求項１９】
情報信号を出力する出力工程と、
前記出力工程で出力される前記情報信号を、記録媒体に記録する記録工程と、  前記記録工程により前記記録媒体に記録された前記情報信号の識別子を記憶する記録履歴記憶工程と、
使用者の課金承認を検知する課金承認検知工程と、
前記記録工程において新たに記録しようとする情報信号の識別子を検出する識別子検出工程と、
前記識別子検出工程で検出された前記情報信号の識別子と、前記記録履歴記憶工程で記憶された前記情報信号の識別子との比較結果、および、前記課金承認検知工程における課金承認状況に応じて、前記新たに記録しようとする情報信号の前記記録媒体への記録を制御する制御工程と、
を備えることを特徴とする情報信号の記録方法。
【請求項２０】
情報信号を記録媒体に記録する記録工程と、
前記記録工程により前記記録媒体に記録された前記情報信号の識別子を記憶する記録履歴記憶工程と、
前記記録工程において新たに記録しようとする情報信号の識別子を検出する識別子検出工程と、
前記識別子検出工程で検出された前記情報信号の識別子と、前記記録履歴記憶工程で記憶された前記情報信号の識別子とを比較する比較工程と、
前記比較工程での比較結果により、前記識別子検出工程で検出された前記情報信号の識別子と同一の識別子が、前記記録履歴記憶工程で記憶されていないときには、前記記録しようとしている情報信号の前記記録手段による前記記録媒体への記録を許可する工程と、
前記比較工程での比較結果により、前記識別子検出工程で検出された前記情報信号の識別子と同一の識別子が、前記記録履歴記憶工程で記憶されていたときに、使用者の課金承認を検知する課金承認検知工程と、
前記課金承認検知工程における課金承認状況に応じて、前記新たに記録しようとする情報信号の前記記録媒体への記録を制御する制御工程と、
を備えることを特徴とする情報信号の記録方法。
【請求項２１】
情報信号を出力する出力工程と、
前記出力工程で出力される前記情報信号を、記録媒体に記録する記録工程と、  前記記録工程により前記記録媒体に記録された前記情報信号の識別子を記憶する記録履歴記憶工程と、
前記記録工程において新たに記録しようとする情報信号の識別子を検出する識別子検出工程と、
前記識別子検出工程で検出された前記情報信号の識別子と、前記記録履歴記憶工程で記憶された前記情報信号の識別子とを比較する比較工程と、
前記比較工程での比較結果により、前記識別子検出工程で検出された前記情報信号の識別子と同一の識別子が、前記記録履歴記憶工程で記憶されていないときには、前記記録しようとしている情報信号の前記記録手段による前記記録媒体への記録を許可する工程と、
前記比較工程での比較結果により、前記識別子検出工程で検出された前記情報信号の識別子と同一の識別子が、前記記録履歴記憶工程で記憶されていたときに、使用者の課金承認を検知する課金承認検知工程と、
前記課金承認検知工程における課金承認状況に応じて、前記新たに記録しようとする情報信号の前記記録媒体への記録を制御する制御工程と、
を備えることを特徴とする情報信号の記録方法。
【請求項２２】
情報信号の記録媒体への記録に関する課金情報が記録される課金情報記憶媒体と端末装置とを接続する接続工程と、
前記接続された前記課金情報記憶媒体に記憶されている前記課金情報を前記端末装置が読み出す読み出し工程と、
前記端末装置が前記課金情報記憶媒体に記憶されている前記課金情報を変更する課金処理工程と、
を備える端末装置の制御方法。
【請求項２３】
情報信号を記録媒体に記録する記録工程と、
金額に関連する情報を記憶する金額情報記憶工程と、
前記情報信号が前記記録媒体に記録されるときに、前記記憶された前記金額に関連する情報を変更すると共に、所定の金額の金銭が支払われたことを示す情報入力に応じて、前記金額に関連する情報を変更する制御工程と
を備える情報信号の記録方法。